【手続補正書】
【提出日】令和2年5月29日(2020.5.29)
【手続補正１】
【補正対象書類名】特許請求の範囲
【補正対象項目名】全文
【補正方法】変更
【補正の内容】
【特許請求の範囲】
【請求項１】
シートに画像を形成する画像形成手段と、前記画像形成手段によって画像を形成されたシートをシート排出方向に搬送して排出する排出手段とを有する画像形成装置と、
前記画像形成装置の前記シート排出方向における下流側の側面に対向して配置され、シートを処理可能なシート処理装置と、
シートが搬送されるシート搬送路を有し、前記画像形成装置に対して着脱可能に装着され、前記排出手段から排出されたシートを前記シート搬送路を介して前記シート処理装置に搬送するシート搬送装置と、
前記シート搬送装置に配置され、前記シート搬送路を流れる気流を発生させる気流発生手段と、
を備えることを特徴とする画像形成システム。
【請求項２】
前記シート搬送装置は、外気を吸引可能とする吸気口を有し、
前記気流発生手段は、前記吸気口から吸引されて前記シート搬送路を流れる気流を発生させる、
ことを特徴とする、請求項１に記載の画像形成システム。
【請求項３】
前記吸気口は、前記シート搬送装置の、前記シート排出方向に直交するシートの幅方向の側面に配置されている、
ことを特徴とする、請求項２に記載の画像形成システム。
【請求項４】
前記気流発生手段は、前記吸気口を介して吸引した外気を前記シート搬送路へ向けて送る送風手段を含む、
ことを特徴とする、請求項２又は３に記載の画像形成システム。
【請求項５】
前記シート搬送路を通過した空気を前記画像形成システムの外部に排出可能とする排気口をさらに備える、
ことを特徴とする、請求項１乃至４のいずれか１項に記載の画像形成システム。
【請求項６】
前記気流発生手段は、前記シート搬送路を通過した空気を前記排気口へ向けて流す排気手段を含む、
ことを特徴とする、請求項５に記載の画像形成システム。
【請求項７】
前記気流発生手段は、前記シート搬送路へ向けて風を送る送風ファンを含む、
ことを特徴とする、請求項１に記載の画像形成システム。
【請求項８】
前記気流発生手段は、前記シート搬送路内の空気を排出する排気ファンを含む、
ことを特徴とする、請求項７に記載の画像形成システム。
【請求項９】
前記気流発生手段は、前記シート搬送路を通過した空気が前記シート処理装置に流入するように、気流を発生させる、
ことを特徴とする、請求項１乃至８のいずれか１項に記載の画像形成システム。
【請求項１０】
前記気流発生手段は、前記シート搬送路を通過した空気が前記画像形成装置に流入するように、気流を発生させる、
ことを特徴とする、請求項１乃至８のいずれか１項に記載の画像形成システム。
【請求項１１】
前記シート搬送装置は、シートを搬送するシート搬送手段と、前記シート搬送手段によって搬送されるシートの一方の面に対向する第１ガイド部と、前記シート搬送手段によって搬送されるシートの他方の面に対向し、前記第１ガイド部との間に前記シート搬送路を形成する第２ガイド部と前記第１ガイド部のガイド面及び前記第２ガイド部のガイド面の少なくとも一方に設けられた開口部と、前記気流発生手段が発生する気流を前記開口部を介して前記シート搬送路に案内する案内部と、を有する、
ことを特徴とする、請求項１乃至１０のいずれか１項に記載の画像形成システム。
【請求項１２】
前記画像形成手段は、シートにトナー像を転写する転写手段と、シートに転写されたトナー像を加熱する加熱手段と、を含み、
前記開口部及び前記案内部は、前記気流発生手段によって発生する気流が、前記シート搬送路を通過するシートに対し、当該シートが前記画像形成装置から排出される前に前記転写手段によって最後に画像を転写された面に吹き付けられるように配置される、
ことを特徴とする、請求項１１に記載の画像形成システム。
【請求項１３】
前記画像形成装置は、前記画像形成手段を収容する装置本体と、前記装置本体の上方に配置され、原稿から画像情報を読取可能な画像読取部とを有し、
前記シート搬送装置は、前記画像読取部と前記装置本体との間に装着される、
ことを特徴とする、請求項１乃至１２のいずれか１項に記載の画像形成システム。
【請求項１４】
前記画像形成手段は、シートにトナー像を転写する転写手段と、シートに転写されたトナー像を加熱する加熱手段と、を含み、
前記シート搬送装置は、シートを搬送するシート搬送手段と、前記シート搬送手段によって搬送されるシートの第１面に対向する第１ガイド部と、前記シート搬送手段によって搬送されるシートの第２面に対向し、前記第１ガイド部との間に前記シート搬送路を形成する第２ガイド部と、前記第１ガイド部のガイド面に設けられた開口部と、を有し、
前記第１面は、前記シート搬送路を通過するシートが前記画像形成装置から排出される前に前記転写手段によって最後に画像を転写された面であり、
前記気流発生手段は、前記開口部を介して前記シート搬送路に風を送る送風手段を含む、
ことを特徴とする、請求項１に記載の画像形成システム。
【請求項１５】
画像形成装置から排出されたシートをシート処理装置に搬送可能なシート搬送装置において、
前記画像形成装置に着脱可能に装着される筐体と、
前記画像形成装置から排出されたシートを、前記画像形成装置の側面に対向して配置される前記シート処理装置に向かって搬送するシート搬送手段と、
前記筐体の内部に前記シート搬送手段によってシートが搬送されるシート搬送路を形成するガイド手段と、
前記シート搬送路を流れる気流を発生させる気流発生手段と、
を有することを特徴とするシート搬送装置。
【請求項１６】
シートに画像を形成する画像形成手段と、前記画像形成手段によって画像を形成されたシートをシート排出方向に搬送して排出する排出手段とを有する画像形成装置と、
前記画像形成装置の前記シート排出方向における下流側の側面に対向して配置され、シートを処理可能なシート処理装置と、
シートが搬送されるシート搬送路を有し、前記画像形成装置に対して着脱可能に装着され、前記排出手段から排出されたシートを前記シート搬送路を介して前記シート処理装置に搬送するシート搬送装置と、
前記シート搬送装置に配置され、前記シート搬送路を空気が流れるように前記シート搬送路に向けて風を送る送風手段と、
を備えることを特徴とする画像形成システム。
【請求項１７】
前記画像形成手段は、シートにトナー像を転写する転写手段と、シートに転写されたトナー像を加熱する加熱手段と、を含み、
前記シート搬送装置は、シートを搬送するシート搬送手段と、前記シート搬送手段によって搬送されるシートの第１面に対向する第１ガイド部と、前記シート搬送手段によって搬送されるシートの第２面に対向し、前記第１ガイド部との間に前記シート搬送路を形成する第２ガイド部と、前記第１ガイド部のガイド面に設けられた開口部と、を有し、
前記第１面は、前記シート搬送路を通過するシートが前記画像形成装置から排出される前に前記転写手段によって最後に画像を転写された面であり、
前記送風手段は、前記開口部を介して前記シート搬送路に風を送る、
ことを特徴とする、請求項１６に記載の画像形成システム。
【手続補正２】
【補正対象書類名】明細書
【補正対象項目名】０００７
【補正方法】変更
【補正の内容】
【０００７】
本発明の一態様に係る画像形成システムは、シートに画像を形成する画像形成手段と、前記画像形成手段によって画像を形成されたシートをシート排出方向に搬送して排出する排出手段とを有する画像形成装置と、前記画像形成装置の前記シート排出方向における下流側の側面に対向して配置され、シートを処理可能なシート処理装置と、シートが搬送されるシート搬送路を有し、前記画像形成装置に対して着脱可能に装着され、前記排出手段から排出されたシートを前記シート搬送路を介して前記シート処理装置に搬送するシート搬送装置と、前記シート搬送装置に配置され、前記シート搬送路を流れる気流を発生させる気流発生手段と、を備えることを特徴とする。
【手続補正３】
【補正対象書類名】明細書
【補正対象項目名】０００８
【補正方法】変更
【補正の内容】
【０００８】
本発明の他の態様に係るシート搬送装置は、画像形成装置から排出されたシートをシート処理装置に搬送可能なシート搬送装置において、前記画像形成装置に着脱可能に装着される筐体と、前記画像形成装置から排出されたシートを、前記画像形成装置の側面に対向して配置される前記シート処理装置に向かって搬送するシート搬送手段と、前記筐体の内部に前記シート搬送手段によってシートが搬送されるシート搬送路を形成するガイド手段と、前記シート搬送路を流れる気流を発生させる気流発生手段と、を有することを特徴とする。
本発明のさらに他の態様に係る画像形成システムは、シートに画像を形成する画像形成手段と、前記画像形成手段によって画像を形成されたシートをシート排出方向に搬送して排出する排出手段とを有する画像形成装置と、前記画像形成装置の前記シート排出方向における下流側の側面に対向して配置され、シートを処理可能なシート処理装置と、シートが搬送されるシート搬送路を有し、前記画像形成装置に対して着脱可能に装着され、前記排出手段から排出されたシートを前記シート搬送路を介して前記シート処理装置に搬送するシート搬送装置と、前記シート搬送装置に配置され、前記シート搬送路を空気が流れるように前記シート搬送路に向けて風を送る送風手段と、を備えることを特徴とする。